(57)【要約】【課題】水垂れを防止しつつ、メンテナンス性を向上させた換気装置を提供する。【解決手段】換気装置１ａは、ケース本体２内に熱交換素子１４を有する熱交換ユニット１４を備える。ケース本体２は、熱交換ユニット１４の下側にドレンパン３６を備える。ドレンパン３６は、排水口３９ａに向けて傾斜した斜面を有すると共に、開閉自在な点検蓋３８を備える。点検蓋３８はフィルタ交換口３４ａ，３４ｂの下側に配置され、点検蓋３８を開けると、フィルタの着脱が可能である。また、点検蓋３８は水垂れ防止機構を備えて、ドレンパンとしても機能する。これにより、フィルタ交換部からの水を受けて、排水口３９ａに流すことができる。【選択図】        図１
2006064316.tif 000002
【特許請求の範囲】
【請求項１】
回転駆動されるファンおよびフィルタを着脱自在に取り付けるフィルタ取付部をケース本体内に備えた換気装置において、
前記ケース本体の下面に取り付けられ、排水口を有すると共に、前記フィルタ取付部の下部に開口部を有するドレンパンと、
前記ドレンパンに取り付けられ、前記ドレンパンの前記開口部に対して開閉可能な蓋体とを備えた
ことを特徴とする換気装置。
【請求項２】
前記蓋体はドレンパンに回動自在に取り付けられ、前記開口部に対して、閉状態でロックするロック機構とを備えた
ことを特徴とする請求項１記載の換気装置。
【請求項３】
前記ドレンパンの前記開口部と前記蓋体の係合部位に水垂れ防止機構を備えた
ことを特徴とする請求項１記載の換気装置。
【請求項４】
前記水垂れ防止機構として、前記蓋体の辺部に沿った突起部を前記蓋体の上面に備えた
ことを特徴とする請求項３記載の換気装置。
【請求項５】
前記突起部の一部に、水の流れに沿った溝部を備えた
ことを特徴とする請求項４記載の換気装置。
【請求項６】
前記ドレンパンと前記蓋体は、前記排水口方向へ下降する斜面を有し、前記水垂れ防止機構として、前記ドレンパンと前記蓋体の係合部位は、水の流れに対して上流側の部材が下流側の部材の上に重なる重ね合せ部を備えた
ことを特徴とする請求項３，４または５記載の換気装置。
【請求項７】
前記ロック機構は、前記蓋体に対して脱落防止手段を備えた
ことを特徴とする請求項１，２，３，４，５または６記載の換気装置。
【請求項８】
前記ケース本体内に熱交換器を備え、前記熱交換器の下部に前記ドレンパンの前記蓋体が配置されるようにした
ことを特徴とする請求項１，２，３，４，５，６または７記載の換気装置。
【請求項９】
回転駆動されるファンおよびフィルタを着脱自在に取り付けるフィルタ取付部をケース本体内に有し、前記ケース本体の下面に取り付けられると共に、排水口と、前記フィルタ取付部の下部に設けられた開口部とを有するドレンパンと、
前記ドレンパンの前記開口部を開閉する蓋体と、
前記蓋体を閉状態でロックするロック機構とを備えた換気装置と、前記換気装置と接続されるダクトを備え、
前記換気装置によって室内外の間で換気を行う
ことを特徴とする建物。
【発明の詳細な説明】
【技術分野】
【０００１】
本発明は、室内の空気を換気する換気装置と、換気装置を備えた建物に関する。
【背景技術】
【０００２】
従来から、室内の空気と外気の換気を行う換気装置が提案されている。このような換気装置としては、室内の空気と外気の間で熱交換を行い、外気を室内の温度に近づけて供給できるようにするため、熱交換素子を備えた換気装置が知られている（例えば、特許文献１参照）。
【０００３】
熱交換素子を備えた換気装置では、熱交換素子の前面にフィルタを備える構成となっている。フィルタは、清掃や交換が必要であるので、換気装置は、フィルタが着脱自在に取り付けられる構成となっている。
【０００４】
そして、天井裏に設置される換気装置では、一般的に、換気装置の下面からフィルタが着脱できる構成となっている。
【０００５】
【特許文献１】特許３５０３３６９号公報
【発明の開示】
【発明が解決しようとする課題】
【０００６】
このような換気装置を寒冷地等で使用すると、屋外から取り込んだ外気と、室内から吸い込んだ空気の温度差が大きいので、熱交換素子の設置部位で内部結露が生じる。
【０００７】
このため、従来の換気装置でも、装置内部にドレンパンを備えて水を受ける構成となっているが、熱交換素子と近接して配置されるフィルタの下部は、フィルタの着脱のためドレンパンを備えることができないので、フィルタの取付部から水垂れが発生するという問題がある。
【０００８】
本発明は、このような課題を解決するためになされたもので、水垂れを防止しつつ、メンテナンス性を向上させた換気装置およびこの換気装置を備えた建物を提供することを目的とする。
【課題を解決するための手段】
【０００９】
上述した課題を解決するため、請求項１の発明は、回転駆動されるファンおよびフィルタを着脱自在に取り付けるフィルタ取付部をケース本体内に備えた換気装置において、ケース本体の下面に取り付けられ、排水口を有すると共に、フィルタ取付部の下部に開口部を有するドレンパンと、ドレンパンに回動自在に取り付けられ、ドレンパンの開口部を開閉する蓋体と、蓋体を閉状態でロックするロック機構とを備えたことを特徴とする。
【００１０】
請求項２の発明は、ドレンパンの開口部と蓋体の係合部位に水垂れ防止機構を備えたことを特徴とする。
【００１１】
請求項３の発明は、水垂れ防止機構として、蓋体の辺部に沿った突起部を蓋体の上面に備えたことを特徴とする。
【００１２】
請求項４の発明は、突起部の一部に、水の流れに沿った溝部を備えたことを特徴とする。
【００１３】
請求項５の発明は、ドレンパンと蓋体は、排水口方向へ下降する斜面を有し、水垂れ防止機構として、ドレンパンと蓋体の係合部位は、水の流れに対して上流側の部材が下流側の部材の上に重なる重ね合せ部を備えたことを特徴とする。
【００１４】
請求項６の発明は、ロック機構は、蓋体に対して回転自在で抜取不能なネジ部材によって構成されることを特徴とする。
【００１５】
請求項７の発明は、ケース本体内に熱交換器を備え、熱交換器の下部にドレンパンの蓋体が配置されることを特徴とする。
【００１６】
請求項８の発明は、回転駆動されるファンおよびフィルタを着脱自在に取り付けるフィルタ取付部をケース本体内に有する換気装置と、換気装置と接続されるダクトを備え、換気装置によって室内外の間で換気を行う建物において、換気装置は、ケース本体の下面に取り付けられ、排水口を有すると共に、フィルタ取付部の下部に開口部を有するドレンパンと、ドレンパンに回動自在に取り付けられ、ドレンパンの開口部を開閉する蓋体と、蓋体を閉状態でロックするロック機構とを備えたことを特徴とする。
【発明の効果】
【００１７】
本発明の換気装置によれば、ケース本体の下面にドレンパンを備えることで、ケース本体内で発生した内部結露による水分をドレンパンで受けて、排水口から排水することができる。
【００１８】
また、ドレンパンに開閉自在な蓋体を備えることで、フィルタの着脱が容易に行える。そして、ドレンパンの開口部と蓋体の係合部位に水垂れ防止機構を備えることで、蓋体をドレンパンにドレンパンの機能を持たせることができると共に、蓋体を開けた時の水垂れを防止できる。
【００１９】
このような換気装置を備えた建物では、天井裏等への換気装置からの水垂れが防止されるので、建物の損傷や劣化等を長期間にわたって抑えることができる。
【発明を実施するための最良の形態】
【００２０】
以下、図面を参照して本発明の換気装置の実施の形態について説明する。図１は第１の実施の形態の換気装置１ａの構成の一例を示す側断面図、図２および図３は第１の実施の形態の換気装置１ａの構成の一例を示す斜視図である。ここで、図１は換気装置１ａの特徴を模式的に図示したものである。
【００２１】
＜換気装置の構成の概要＞
換気装置１ａは、外気を吸気して室内に供給すると共に、室内の空気の排気を行い、かつ、外気と室内の空気の間で熱交換を行う機能を備えた換気装置で、ケース本体２内にファンユニット３と熱交換ユニット４を備える。ケース本体２は直方体形状で、第１の側板２ａと、第１の側板２ａと対向する第２の側板２ｂと、左右の側板２ｃと、天板２ｄと、底板２ｅを備える。本例の換気装置１ａは、後述する建物に取り付けるため、例えば側板２ｃに取付ブラケット２ｆが備えられている。ここで、換気装置１ａが寒冷地で使用される場合は、ケース本体２の全面を断熱材で覆う構成としている。
【００２２】
＜ファンユニットの構成例＞
ファンユニット３はハウジング５に給気ファン６と排気ファン７とモータ８を備える。給気ファン６は回転駆動される多翼ファン６ａとファンケース６ｂを備え、多翼ファン６ａの軸方向に沿ってファンケース６ｂの下面に形成された吸込口６ｃから吸気し、多翼ファン６ａの接線方向に沿ってファンケース６ｂに形成された吹出口６ｄより排気する。
【００２３】
排気ファン７は給気ファン６と同様の構成で、回転駆動される多翼ファン７ａとファンケース７ｂを備え、多翼ファン７ａの軸方向に沿ってファンケース７ｂの下面に形成された吸込口７ｃから吸気し、多翼ファン７ａの接線方向に沿ってファンケース７ｂに形成された吹出口７ｄより排気する。
【００２４】
給気ファン６と排気ファン７は、吹出口６ｄと吹出口７ｄが逆向きとなるように上下に重ねて配置される。モータ８は、駆動軸の一端側に給気ファン６の多翼ファン６ａが取り付けられ、駆動軸の他端側に排気ファン７の多翼ファン７ａが取り付けられて、単一の駆動源で給気ファン６と排気ファン７が駆動される。
【００２５】
ファンユニット３のハウジング５は、ケース本体２の中ほどに配置される第１の側壁部５ａと、ケース本体２の第２の側板２ｂと当接する第２の側壁部５ｂを備える。
【００２６】
また、ハウジング５は、第１の側壁部５ａと第２の側壁部５ｂの間を上下に仕切る仕切壁部５ｃを備え、仕切壁部５ｃの下側に給気ファン６を備えた第１のファン室９が形成され、仕切壁部５ｃの上側に排気ファン７を備えた第２のファン室１０が形成される。
【００２７】
ファンユニット３は、ハウジング５の第１の側壁部５ａに、第１のファン室９と連通して、給気ファン６の吹出口６ｄと接続される流出開口部９ａと、第２のファン室１０と連通した流入開口部１０ａを備える。
【００２８】
また、ファンユニット３は、ハウジング５の第２の側壁部５ｂに、第１のファン室９と連通した流入開口部９ｂと、第２のファン室１０と連通して、排気ファン７の吹出口７ｄと接続される流出開口部１０ｂを備える。
【００２９】
ケース本体２は、ファンユニット３のハウジング５の第２の側壁部５ｂと当接する第２の側板２ｂに、ファンユニット３の流入開口部９ｂと対向する外気吸込口１１ａと、流出開口部１０ｂと対向する排気吹出口１１ｂを備える。また、ケース本体２は、給気吹出口１２ａと室内吸込口１２ｂを第１の側板２ａに備える。
【００３０】
ケース本体２は、第１の側板２ａとハウジング５の第１の側壁部５ａの間の空間に、熱交換ユニット４を取り付けるための熱交換ユニット取付部１３が形成される。
【００３１】
ケース本体２の第１の側板２ａに備えた給気吹出口１２ａと室内吸込口１２ｂは、熱交換ユニット取付部１３と連通する。また、ケース本体２は、熱交換ユニット取付部１３が形成された部位の下面の底板２ｅに、熱交換ユニット４を装着するための開口部２ｇが形成される。
【００３２】
＜熱交換ユニットの構成例＞
図４は熱交換ユニット４の構成の一例を示す分解斜視図で、次に熱交換ユニット４の構成について説明する。熱交換ユニット４は、熱交換素子１４と、風路形成枠体１５と、支持プレート１６を備える。図５は熱交換素子１４の概略構成を示す斜視図であり、まず熱交換素子１４の構成について説明する。
【００３３】
熱交換素子１４は熱伝導性を有する材質で形成され、第１の風路１７ａが並列して形成された熱交換素子材１８ａと、第２の風路１７ｂが並列して形成された熱交換素子材１８ｂとを、第１の風路１７ａと第２の風路１７ｂが直交する向きとして交互に積層して直方体状に構成したものである。
【００３４】
熱交換素子１４は、第１の風路１７ａと連通する一の面が第１の流入部１４ａとなり、第１の流入部１４ａと直交し、第２の風路１７ｂと連通する面が第２の流入部１４ｂとなる。
【００３５】
また、第１の流入部１４ａと対向し、第１の風路１７ａと連通する面が第１の流出部１４ｃとなり、第２の流入部１４ｂと対向し、第２の風路１７ｂと連通する面が第２の流出部１４ｄとなる。
【００３６】
熱交換素子１４は、第１の流入部１４ａと第２の流入部１４ｂの間、第２の流入部１４ｂと第１の流出部１４ｃの間、第１の流出部１４ｃと第２の流出部１４ｄの間および第２の流出部１４ｄと第１の流入部１４ａの間の各角部は面取りされた形状で、各面にはシール部材１９が貼り付けられる。
【００３７】
次に、図４および図１を参照に風路形成枠体１５の構成について説明する。風路形成枠体１５は、例えば第１の枠体１５ａと第２の枠体１５ｂを備えた２分割構造で、天井壁部２０と、第１の側壁部２１と、第２の側壁部２２と、第３の側壁部２３と、第４の側壁部２４とを備え、第１の側壁部２１がケース本体２の第１の側板２ａと当接する向きで、ケース本体２の熱交換ユニット取付部１３に取り付けられる。
【００３８】
天井壁部２０は、第１の枠体１５ａから第２の枠体１５ｂまで連続形成される。第１の側壁部２１は、ケース本体２の第１の側板２ａの内面に当接し、第１の側板２ａに備えた給気吹出口１２ａと対向する位置に開口部２１ａを備え、室内吸込口１２ｂと対向する位置に開口部２１ｂを備える。
【００３９】
第２の側壁部２２は第１の側壁部２１と対向する面に形成され、ハウジング５の第１の側壁部５ａに当接する。風路形成枠体１５の第２の側壁部２２は、ハウジング５の第１の側壁部５ａに形成された流出開口部９ａと対向する位置に開口部２２ａを備え、流入開口部１０ａと対向する位置に開口部２２ｂを備える。
【００４０】
第１の枠体１５ａは、第３の側壁部２３と第４の側壁部２４の間に仕切壁部２５を備え、第２の枠体１５ｂは、第３の側壁部２３と第４の側壁部２４との間に仕切壁部２６を備える。
【００４１】
第１の側壁部２１に備えた開口部２１ａと開口部２１ｂは、仕切壁部２５によって仕切られる。また、第２の側壁部２２に備えた開口部２２ａと開口部２２ｂは、仕切壁部２６によって仕切られる。
【００４２】
第３の側壁部２３と第４の側壁部２４は、熱交換素子１４の取付部２７を備える。取付部２７は、第３の側壁部２３の一部および第４の側壁部２４の一部を凹状に切り欠いた形状で、下端から仕切壁部２５，２６にかけてガイド面２７ａが形成され、仕切壁部２５，２６から天井壁部２０にかけて傾斜ガイド面２７ｂが形成される。
【００４３】
仕切壁部２５および仕切壁部２６の先端には、平坦状の当接面２５ａ，２６ａが形成され、第１の枠体１５ａの傾斜ガイド面２７ｂと第２の枠体１５ｂの傾斜ガイド面２７ｂの間の天井壁部２０には、平坦状の当接面２０ａが形成される。
【００４４】
次に、支持プレート１６の構成について説明する。支持プレート１６は、熱交換素子１４の左右両端に取り付けられ、熱交換素子１４を風路形成枠体１５に支持する。
【００４５】
支持プレート１６は、第３の側壁部２３および第４の側壁部２４の取付部２７に嵌る形状を有し、熱交換素子１４の上面側を支持すると共に、取付部２７の傾斜ガイド面２７ｂに当接するリブ２８を備える。
【００４６】
また、支持プレート１６は、熱交換素子１４の下面側を支持するリブ２９を備えると共に、取付部２７のガイド面２７ａに当接するリブ３０を備える。更に、リブ２９に沿って一対のガイドリブ３１ａ，３１ｂを備える。
【００４７】
熱交換素子１４は、長手方向の両端に支持プレート１６が取り付けられ、ケース本体２の熱交換ユニット取付部１３に取り付けられた風路形成枠体１５の取付部２７に取り付けられて、熱交換ユニット４を構成する。
【００４８】
そして、風路形成枠体１５の取付部２７に支持プレート１６を介して熱交換素子１４を取り付けると、熱交換素子１４の第１の流入部１４ａと第２の流入部１４ｂがケース本体２の下面側に配置され、熱交換素子４において外気および室内からの流入側のそれぞれにフィルタが取り付けられる構成となる。
【００４９】
このため、熱交換ユニット４は給気フィルタ３２と排気フィルタ３３を備える。給気フィルタ３２は、支持プレート１６のガイドリブ３１ａに支持されて、熱交換素子１４の第１の流入部１４ａの前面に取り付けられる。排気フィルタ３３は、支持プレート１６のガイドリブ３１ｂに支持されて、熱交換素子１４の第２の流入部１４ｂの前面に取り付けられる。
【００５０】
ケース本体２の開口部２ｇは、底蓋３４が取り付けられる。図６は底蓋３４の構成の一例を示す斜視図である。底蓋３４は、スリット状のフィルタ交換口３４ａ，３４ｂと、フィルタ交換口３４ａとフィルタ交換口３４ｂの間の上面に形成される平坦状の当接面３４ｃと、排水口３４ｄを備える。
【００５１】
図１に示すように、熱交換ユニット４をケース本体２の熱交換ユニット取付部１３に取り付け、ケース本体２の開口部２ｇに底蓋３４を取り付けると、熱交換素子１４の第１の流入部１４ａが、風路形成枠体１５の開口部２２ａを介してファンユニット３の第１のファン室９の流出開口部９ａと対向する。また、熱交換素子１４の第１の流出部１４ｃが、風路形成枠体１５の開口部２１ａを介してケース本体２の給気吹出口１２ａと対向する。
【００５２】
更に、熱交換素子１４の第２の流入部１４ｂが、風路形成枠体１５の開口部２１ｂを介してケース本体２の室内吸込口１２ｂと対向し、熱交換素子１４の第２の流出部１４ｄが、風路形成枠体１５の開口部２２ｂを介してファンユニット３の第２のファン室１０の流入開口部１０ａと対向する。
【００５３】
また、熱交換素子１４は、第１の流出部１４ｃと第２の流出部１４ｄの間のシール部材１９が天井壁部２０の当接面２０ａに当接し、第１の流入部１４ａと第２の流出部１４ｄの間のシール部材１９が仕切壁部２６の当接面２６ａに当接し、第２の流入部１４ｂと第１の流出部１４ｃの間のシール部材１９が仕切壁部２５の当接面２５ａに当接する。更に、第１の流入部１４ａと第２の流入部１４ｂの間のシール部材１９が底蓋３４の当接面３４ｃに当接する。
【００５４】
そして、底蓋３４のフィルタ交換口３４ａは、図４に示すガイドリブ３１ａの下端側に対向し、フィルタ交換口３４ａに給気フィルタ３２を挿入すると、給気フィルタ３２はガイドリブ３１ａに支持されて、熱交換素子１４の第１の流入部１４ａの前面に取り付けられる。
【００５５】
また、フィルタ交換口３４ｂは、ガイドリブ３１ｂの下端側に対向し、フィルタ交換口３４ｂに排気フィルタ３３を挿入すると、排気フィルタ３３はガイドリブ３１ｂに支持されて、熱交換素子１４の第２の流入部１４ｂの前面に取り付けられる。
【００５６】
これにより、外気吸込口１１ａから給気ファン６を通り、給気フィルタ３２を介して熱交換素子１４の第１の風路１７ａを通って給気吹出口１２ａにいたる給気風路３５ａと、室内吸込口１２ｂから排気フィルタ３３を介して熱交換素子１４の第２の風路１７ｂを通り、排気ファン８を通って排気吹出口１１ｂにいたる排気風路３５ｂが独立して形成される。
【００５７】
＜ドレンパンの構成例＞
底蓋３４の下面にはドレンパン３６が取り付けられる。図７はドレンパン３６の構成の一例を示す斜視図である。ドレンパン３６は、開口部３７に蓋体としての点検蓋３８を備えると共に、開口部３７を挟んで第１の水受部３９と第２の水受部４０を備える。
【００５８】
開口部３７は、ドレンパン３６を図１に示すように底蓋３４に取り付けたときに、フィルタ交換口３４ａとフィルタ交換口３４ｂの下側に位置する。点検蓋３８は、軸３８ａがドレンパン３６に形成された軸受に支持され、軸３８ａを支点とした回転動作でドレンパン３６の開口部３７を開閉する。
【００５９】
第１の水受部３９は排水口３９ａを備える。第１の水受部３９、第２の水受部４０および点検蓋３８の上面は、排水口３９ａに向かって角度の浅いＶ字型で、かつ、排水口３９ａへ向けて下降する傾斜が付けられている。
【００６０】
また、点検蓋３８で開口部３７を閉じたときに、点検蓋３８は、軸３８ａ側の端部はドレンパン３６の上面に入り込んで第１の重ね合せ部４１ａが形成され、開放側の端部はドレンパン３６の下面に入り込んで第２の重ね合せ部４１ｂが形成される。
【００６１】
上述したように、ドレンパン３６および点検蓋３８の上面は、排水口３９ａへ向けて下降する斜面となっている。このため、ドレンパン３６および点検蓋３８上の水は、排水口３９ａ方向に流れる。
【００６２】
そして、ドレンパン３６の第２の水受部４０と点検蓋３８の継ぎ目となる第２の重ね合せ部４１ｂでは、水の流れる方向に対して上流側となるドレンパン３６が点検蓋３８の上面に重なる。
【００６３】
また、第１の水受部３９と点検蓋３８の継ぎ目となる第１の重ね合せ部４１ａでは、水の流れる方向に対して上流側となる点検蓋３８がドレンパン３６の上面に重なる。これにより、第１の重ね合せ部４１ａと第２の重ね合せ部４１ｂで水垂れ防止機構が構成され、ドレンパン３６と点検蓋３８の継ぎ目からの水垂れが防止される。
【００６４】
更に、点検蓋３８は、ドレンパン３６との係合部分に、水垂れ防止機構として、水垂れ防止突起３８ｂを備える。水垂れ防止突起３８ｂは、点検蓋３８の上面に、開口部３７に沿うように凸状に形成された突起部である。
【００６５】
また、第１の水受部３９は、開口部３７と対向する辺に水垂れ防止突起３９ｂが形成され、第２の水受部４０は、開口部３７と対向する辺に水垂れ防止突起４０ａが形成される。
【００６６】
点検蓋３８の水垂れ防止突起３８ｂには、点検蓋３８の軸３８ａ側の端部の一部、および開放側の端部の一部を切り欠いて溝部３８ｃが形成される。また、第１の水受部３９の水垂れ防止突起３９ｂには、一部を切り欠いて溝部３９ｃが形成され、第２の水受部４０の水垂れ防止突起４０ａには、一部を切り欠いて溝部４０ｂが形成される。
【００６７】
これにより、ドレンパン３６において、上流側の第２の水受部４０上の水が水垂れ防止突起４０ａの溝部４０ｂおよび水垂れ防止突起３８ｂの溝部３８ｃを通って点検蓋３８に流れる。また、点検蓋３８上の水が水垂れ防止突起３８ｂの溝部３８ｃおよび水垂れ防止突起３９ｂの溝部３９ｃを通って下流側の第１の水受部３９に流れ込む構成となっている。そして、第１の水受部３９に流れ込んだ水は、排水口３９ａから排出される。
【００６８】
ここで、点検蓋３８の水垂れ防止突起３８ｂの溝部３８ｃと、第１の水受部３９の水垂れ防止突起３９ｂの溝部３９ｃの位置関係は、一列に並ぶ配置でも良いし、位置をずらした配置でも良い。同様に、点検蓋３８の水垂れ防止突起３８ｂの溝部３８ｃと、第２の水受部４０の水垂れ防止突起４０ａの溝部４０ｂの位置関係は、一列に並ぶ配置でも良いし、位置をずらした配置でも良い。
【００６９】
また、各水垂れ防止突起３８ｂ，３９ｂ，４０ａは、点検蓋３８および開口部３７を補強する機能も有するので、必要に応じて縦方向のリブや横方向のリブを追加しても良い。
【００７０】
なお、ドレンパン３６の点検蓋３８には、水垂れ防止機構として、通常のゴムパッキン等のシール部材３８ａも備えられる。
【００７１】
点検蓋３８は開放側の端部にロック機構として固定ネジ４２を備える。ドレンパン３６には固定ネジ４２が締結されるネジ穴３６ａを備え、点検蓋３８を閉じ、固定ネジ４２をネジ穴３６ａに締結すると、点検蓋３８は閉状態でロックされる。
【００７２】
図８は固定ネジ４２の構成の一例を示す要部断面図である。固定ネジ４２は、ネジ部４２ａとつまみ部４２ｂを備え、点検蓋３８に形成された穴部３８ｄにネジ部４２ａが回転自在に挿入される。
【００７３】
固定ネジ４２は、ネジ部４２ａに抜け止めリング４２ｃが着脱不能に嵌められている。抜け止めリング４２ｃの外径は、穴部３８ｄの直径より大きく、固定ネジ４２は、点検蓋３８に対して回転自在で抜取不能な構成となっている。
【００７４】
固定ネジ４２のつまみ部４２ｂは、工具を用いることなく手で回すことができる形状を有し、固定ネジ４２は、点検蓋３８に取り付けられた状態で、手で回すことができる構成となっている。
【００７５】
＜換気装置の設置例＞
図９および図１０は換気装置１ａを備えた建物５１の構成の一例を示し、次に、換気装置１ａの設置例について説明する。ここで、図９（ａ）は建物５１の概要側面図、図９（ｂ）は建物５１の概要平面図である。
【００７６】
建物５１は、本例では２階建ての一戸建て住宅を例にしており、居間や台所等、壁５２ａや扉５２ｂで仕切られた複数の部屋５２を有する。建物５１は、各フロアの天井裏の空間５３に換気装置１ａを備える。
【００７７】
換気装置１ａは、図２等に示す取付ブラケット２ｆを使用して、ドレンパン３６の点検蓋３８が下側となる向きで、所定の金具によって天井裏に吊り下げられる。なお、本例の換気装置１ａを設置する場合には、天井パネル５４に、換気装置１ａの点検蓋３８を開閉できるような開閉自在な点検口５４ａを備える。
【００７８】
換気装置１ａは、図１等に示す外気吸込口１１ａが、建物５１の外壁等に設置される屋外吸気フード５５と外気導入ダクト５５ａを介して接続される。また、排気吹出口１１ｂが、建物５１の外壁等に設置される屋外排気フード５６と排気ダクト５６ａを介して接続される。
【００７９】
建物５１は、例えば各部屋５２の天井等に、給気グリル５７と吸込グリル５８を備える。換気装置１ａは、給気吹出口１２ａが給気グリル５７と給気ダクト５７ａを介して接続され、室内吸込口１２ｂが吸込グリル５８と換気ダクト５８ａ介して接続される。
【００８０】
なお、換気装置１ａは、給気吹出口１２ａと室内吸込口１２ｂが１個ずつ備えられているので、複数の部屋５２と接続する場合には、給気ダクト５７ａおよび換気ダクト５８ａに例えばＹ形状の分岐・合流継手８９を接続して、給気ダクト５７ａの分岐および換気ダクト５８ａの合流を行う（図９参照）。
【００８１】
なお、給気グリル５７と吸込グリル５８を全部屋５２に備える構成以外に、扉５２ｂのアンダーカット部等による部屋間の空気の流れを利用して、一部の部屋５２に設置した給気グリル５７と吸込グリル５８で全部屋５２の給換気を行う構成としても良い（図１０参照）。吸込グリル５８は単一箇所でも、複数箇所設けてもよい。
【００８２】
更に換気装置１ａは、ドレンパン３６の排水口３９ａが排水ホース５９を介して屋外等に接続される。
【００８３】
＜換気装置の動作例＞
次に、換気装置１ａの動作を、図９および図１０に示す建物５１に設置されている場合を例に各図を参照して説明する。図９は、給気グリル５７と吸込グリル５８が同室に配置されているパターンで、給気グリル５７から供給された空気が室内を循環し、同室内の吸込グリル５８から吸い込まれ、屋外に排気される例である。図１０は、給気グリル５７が各部屋に、そして吸込グリル５８が廊下又は他室に配置されているパターンで、給気グリル５７から供給された空気が室内を循環し、壁５２ａの下側に設けられたガラリを通して廊下又は他室に設けた吸込グリル５８から吸い込まれて屋外に排気される例である。建築基準法によって建物５１の全部屋５２の換気が義務化され、所定時間、例えば２時間で全部屋５２の空気を入れ替えるために、換気装置１ａは２４時間連続運転される。
【００８４】
すなわち、上述したように換気装置１ａは、モータ８を駆動することで、給気ファン６の多翼ファン６ａと排気ファン７の多翼ファン７ａが同期して回転する。まず、給気側の空気の流れを説明すると、給気ファン６の多翼ファン６ａが回転駆動されることで、給気ファン６を備えた第１のファン室９において、ファンケース６ｂの吸込口６ｃから空気が吸い込まれ、吹出口６ｄから空気が排出される空気の流れが生じる。
【００８５】
これにより、換気装置１ａでは、外気吸込口１１ａから空気が吸い込まれ、ファンユニット３の流出開口部９ａから熱交換ユニット４へ排出される。外気吸込口１１ａは、図９および図１０に示すように屋外吸気フード５５と外気導入ダクト５５ａを介して接続されるので、給気ファン６が回転駆動されることで、外気が吸い込まれる。
【００８６】
ファンユニット３の流出開口部９ａから熱交換ユニット４へ送風された空気（外気）は、給気フィルタ３２を介して熱交換素子１４の第１の流入部１４ａから第１の風路１７ａを通り、第１の流出部１４ｃから排出される。そして、熱交換素子１４の第１の流出部１４ｃから排出された空気は、給気吹出口１２ａから排出される。
【００８７】
給気吹出口１２ａは、図９および図１０に示すように給気グリル５７と給気ダクト５７ａを介して接続されるので、給気ファン６が回転駆動されることで、外気が各部屋５２に供給される。
【００８８】
次に、排気側の空気の流れを説明すると、排気ファン７の多翼ファン７ａが回転駆動されることで、排気ファン７を備えた第２のファン室１０において、ファンケース７ｂの吸込口７ｃから空気が吸い込まれ、吹出口７ｄから空気が排出される空気の流れが生じる。
【００８９】
これにより、換気装置１ａでは、室内吸込口１２ｂから熱交換ユニット４へ空気が吸い込まれる。室内吸込口１２ｂは、図９および図１０に示すように吸込グリル５８と換気ダクト５８ａを介して接続されるので、排気ファン７が回転駆動されることで、各部屋５２の室内の空気が吸い込まれる。
【００９０】
室内吸込口１２ｂから熱交換ユニット４へ吸い込まれた室内の空気は、排気フィルタ３３を介して熱交換素子１４の第２の流入部１４ｂから第２の風路１７ｂを通り、第１の流出部１４ｄから排出される。
【００９１】
熱交換素子１４は、上述したように第１の風路１７ａを外気が通る。これに対して、第２の風路１７ｂは室内の空気が通る。これにより、第１の風路１７ａが形成された熱交換素子材１８ａと第２の風路１７ｂが形成された熱交換素子材１８ｂを介して熱交換が行われ、外気は室温に近づけられて供給される。
【００９２】
熱交換素子１４の第２の流出部１４ｄから排出された空気は、ファンユニット３の流入開口部１０ａから排気ファン７に吸い込まれ、吹出口７ｄを介して排気吹出口１１ｂから排出される。
【００９３】
排気吹出口１１ｂは、図９および図１０に示すように屋外排気フード５６と排気ダクト５６ａを介して接続されるので、排気ファン７が回転駆動されることで、室内の空気が屋外へ排気される。
【００９４】
換気装置１ａでは、建物５１の屋外から吸い込まれて、各部屋５２に供給される外気が通る給気風路３５ａと、各部屋５２から吸い込まれて屋外へ排気される空気が取る排気風路３５ｂは、熱交換ユニット３を構成する風路形成枠体１５の仕切壁部２５，２６、熱交換素子１４、ファンユニット３を構成するハウジング５の仕切壁部５ｃによって独立している。
【００９５】
これにより、屋外から吸い込んだ外気と部屋５２から吸い込んだ空気が混合することなく、熱交換が行われて換気が行われる。更に、熱交換ユニット４に給気フィルタ３２を備えることで、埃等が除去される。よって、建物５１の各部屋５２に新鮮な空気を供給することができると共に、各部屋５２の空気を排気することで、部屋５２の空気を入れ替えることができる。
【００９６】
なお、熱交換ユニット４に排気フィルタ３３を備えるのは、室内の埃等で熱交換素子１４が目詰まり等を起こすことを防ぐためである。
【００９７】
さて、寒冷地に建築された建物５１に換気装置１ａを設置して使用する場合、特に冬場は外気と室内温度の差が大きいことから、熱交換ユニット４で内部結露を生じる。
【００９８】
換気装置１ａは、熱交換ユニット４の下部にドレンパン３６を備えているので、熱交換ユニット４で発生した内部結露による水は、底蓋３４のフィルタ交換口３４ｄ等を通してドレンパン３６に流れ込む。
【００９９】
ドレンパン３６は、第１の水受部３９、第２の水受部４０および点検蓋３８の上面が、排水口３９ａに向かって角度の浅いＶ字型で、かつ、排水口３９ａへ向けて下降する傾斜が付けられている。
【０１００】
これにより、ドレンパン３６で受けた水は、第２の水受部４０、点検蓋３８および第１の水受部３９においてドレンパン３６の中心に向かって流れ、更に、排水口３９ａに向かって流れる。そして、排水口３９ａに流れた水は、図９および図１０に示すように排水ホース５９を介して屋外等へ排水される。
【０１０１】
さて、ドレンパン３６は、点検蓋３８が開閉できる構成であるが、ドレンパン３６の第２の水受部４０と点検蓋３８の継ぎ目となる第２の重ね合せ部４１ｂでは、水の流れる方向に対して上流側となるドレンパン３６が点検蓋３８の上面に重なる。
【０１０２】
また、第１の水受部３９と点検蓋３８の継ぎ目となる第１の重ね合せ部４１ａでは、水の流れる方向に対して上流側となる点検蓋３８がドレンパン３６の上面に重なる。これにより、ドレンパン３６と点検蓋３８の継ぎ目からの水垂れが防止される。
【０１０３】
また、点検蓋３８はドレンパン３６の開口部３７に沿って水垂れ防止突起３８ｂが形成されるので、点検蓋３８の側方からの水垂れも防止される。
【０１０４】
給気フィルタ３２および排気フィルタ３３の清掃や交換は、点検蓋３８を開けて行う。点検蓋３８を開放するには、まず、固定ネジ４２を緩め、固定ネジ４２をドレンパン３６のネジ穴３６ａから外す。ここで、固定ネジ４２は点検蓋３８に対して回転自在でかつ抜取不能な構成であるので、固定ネジ４２を緩めても、固定ネジ４２は点検蓋３８に残る。これにより、固定ネジ４２の紛失等を防ぐことが出来る。
【０１０５】
固定ネジ４２を緩めると、点検蓋３８は軸３８ａを支点とした回転動作で開く。点検蓋３８を開けると、図３に示すようにフィルタ交換口３４ａおよびフィルタ交換口３４ｂが露出する。これにより、給気フィルタ３２および排気フィルタ３３の着脱が可能となる。
【０１０６】
なお、点検蓋３８は、軸３８ａを支点とした回転動作で開く。これにより、点検蓋３８は開放した状態でもドレンパン３６と一体であるので、フィルタ着脱時等に、人手で点検蓋３８を支持する必要が無い。
【０１０７】
点検蓋３８を開放する際に、点検蓋３８に水分が付着している場合があるが、点検蓋３８は、上面に水垂れ防止突起３８ｂを備えるので、点検蓋３８に水分が付着している場合でも、点検蓋３８を開放したときは水垂れ防止突起３８ｂによって水の流れが止められ、水垂れが防止される。
【０１０８】
また、ドレンパン３６の開口部３７に沿って、第２の水受部４０には水垂れ防止突起４０ａを備え、第１の水受部３９には水垂れ防止突起３９ｂを備えるので、点検蓋３８の開放時に、開口部３７側からの水垂れも防止される。
【０１０９】
以上説明したように、換気装置１ａは、熱交換ユニット４の下部にドレンパン３６を備えることで、寒冷地等で使用される場合等に発生する内部結露による水分を、屋外に排出することができる。
【０１１０】
また、ドレンパン３６に開閉可能な点検蓋３８を備えることで、熱交換ユニット４に備えた給気フィルタ３２および排気フィルタ３３を、容易に着脱できる。更に、ドレンパン３６と点検蓋３８に、水垂れ防止突起３８ｂ等の水垂れ防止機構を備えることで、点検蓋３８をドレンパン３６の一部として利用しながら、水垂れを防止することができる。
【０１１１】
そして、このような換気装置１ａを備えた建物５１では、天井裏等への換気装置１ａからの水垂れが防止されるので、建物５１の損傷や劣化等を長期間にわたって抑えることができる。
【０１１２】
＜換気装置の変形例＞
図１１は第２の実施の形態の換気装置１ｂの構成の一例を示す側断面図、図１２は第２の実施の形態の換気装置１ｂの構成の一例を示す斜視図である。
【０１１３】
換気装置１ｂは、外気を吸気して室内に供給する給気装置で、ケース本体６１内にファンユニット６２を備える。ケース本体６１は直方体形状で、第１の側板６１ａと、第１の側板６１ａと対向する第２の側板６１ｂと、左右の側板６１ｃと、天板６１ｄを備える。ケース本体６１の底面は開口している。換気装置１ｂは、建物に取り付けるため、例えば第２の側板６１ｂと側板６１ｃに取付ブラケット６１ｅが備えられている。
【０１１４】
ファンユニット６２はハウジング６３に給気ファン６４とモータ６５を備える。給気ファン６４は回転駆動される多翼ファン６４ａを備え、多翼ファン６４ａの軸方向に沿ってベース６３ａの下面に形成された吸込口６３ｂから吸気し、多翼ファン６４ａの接線方向に沿ってハウジング６３に形成された吹出口６３ｃより送風する。
【０１１５】
ケース本体６１は、ファンユニット６２の吹出口６３ｃと対向して給気吹出口６６ａを第１の側板６１ａに備える。また、ケース本体６１は外気吸込口６６ｂを第２の側板６１ｂに備える。
【０１１６】
更に、ケース本体６１は、第２の側板６１ｂとファンユニット６２の間にフィルタ取付部６７を備える。フィルタ取付部６７はフィルタガイド６７ａを備え、給気フィルタ６８は、フィルタガイド６７ａによって第２の側板６１ｂの内側に着脱自在に取り付けられる。
【０１１７】
ケース本体６１は、底面の開口にドレンパン６９を備える。ドレンパン６９は、開口部６９ａに点検蓋７０を備えると共に、開口部６９ａと並列して水受部７１を備える。
【０１１８】
開口部６９ａは、ドレンパン６９を図１１に示すようにケース本体６１に取り付けたときに、フィルタ取付部６７の下側に位置する。点検蓋７０は、軸７０ａがドレンパン６９に形成された軸受に支持され、軸７０ａを支点とした回転動作でドレンパン６９の開口部６９ａを開閉する。
【０１１９】
水受部７１は排水口７１ａを備える。水受部７１の上面は、排水口７１ａに向かって角度の浅いＶ字型で、かつ、水受部７１および点検蓋７０の上面は、排水口７１ａへ向けて下降する傾斜が付けられている。
【０１２０】
また、点検蓋７０で開口部６９ａを閉じたときに、点検蓋７０は、軸７０ａ側の端部はドレンパン６９の上面に入り込んで第１の重ね合せ部７２ａが形成され、開放側の端部はドレンパン６９の下面に入り込んで第２の重ね合せ部７２ｂが形成される。
【０１２１】
上述したように、ドレンパン６９および点検蓋７０の上面は、排水口７１ａへ向けて下降する斜面となっている。このため、ドレンパン６９および点検蓋７０上の水は、排水口７１ａ方向に流れる。
【０１２２】
そして、ドレンパン６９と点検蓋７０の継ぎ目となる第２の重ね合せ部７２ｂでは、水の流れる方向に対して上流側となるドレンパン６９が点検蓋７０の上面に重なる。
【０１２３】
また、点検蓋７０とドレンパン６９の水受部７１の継ぎ目となる第１の重ね合せ部７２ａでは、水の流れる方向に対して上流側となる点検蓋７０がドレンパン６９の上面に重なる。これにより、第１の重ね合せ部７２ａと第２の重ね合せ部７２ｂで水垂れ防止機構が構成され、ドレンパン６９と点検蓋７０の継ぎ目からの水垂れが防止される。
【０１２４】
なお、ドレンパン６９の開口部６９ａと点検蓋７０には、水垂れ防止機構として、通常のゴムパッキンも備えられる。
【０１２５】
点検蓋７０は開放側の端部にロック機構として固定ネジ７３を備える。ドレンパン６９には固定ネジ７３が締結されるネジ穴６９ｂを備え、点検蓋７０を閉じ、固定ネジ７３をネジ穴６９ｂに締結すると、点検蓋７０は閉状態でロックされる。
【０１２６】
固定ネジ７３は、図８で説明した固定ネジ４２と同様の構成を有し、点検蓋７０に対する脱落防止機構が備えられ、回転自在ではあるが脱落しない構成となっており、固定ネジ７３は、点検蓋７０に取り付けられた状態で、手で回すことができる構成となっている。
【０１２７】
換気装置１ｂの動作について説明すると、換気装置１ｂは、モータ６５を駆動することで、給気ファン６４の多翼ファン６４ａが回転する。給気ファン６４の多翼ファン６４ａが回転駆動されることで、ファンユニット６２の吸込口６３ｂから空気が吸い込まれ、吹出口６３ｃから空気が排出される空気の流れが生じる。
【０１２８】
これにより、換気装置１ｂでは、外気吸込口６６ｂから空気が吸い込まれ、給気フィルタ６８を通過した空気はファンユニット６２の吸込口６３ｂから給気ファン６４に吸い込まれ、吹出口６３ｃを介して給気吹出口６６ａから送風される。
【０１２９】
図示しないが、換気装置１ｂの外気吸込口６６ｂはダクトを介して図９および図１０に示すような屋外吸気フード５５に接続され、給気吹出口６６ａはダクトを介して給気グリルに接続されることで、外気を取り込んで室内に供給することができる。
【０１３０】
換気装置１ｂは、下部にドレンパン６９を備えているので、ケース本体６１内で発生した内部結露による水はドレンパン６９に流れ込む。ドレンパン６９は、水受部７１の上面が排水口７１ａに向かって角度の浅いＶ字型で、かつ、水受部７１および点検蓋７０の上面が、排水口７１ａへ向けて下降する傾斜が付けられている。
【０１３１】
これにより、ドレンパン６９で受けた水は、水受部７１においてドレンパン６９の中心に向かって流れ、更に、排水口７１ａに向かって流れる。なお、排水口７１ａに流れた水は、図示しない排水ホースを介して屋外等へ排水される。
【０１３２】
さて、ドレンパン６９は、点検蓋７０が開閉できる構成であるが、ドレンパン６９と点検蓋７０の継ぎ目となる第２の重ね合せ部７２ｂでは、水の流れる方向に対して上流側となるドレンパン６９が点検蓋７０の上面に重なる。
【０１３３】
また、点検蓋７０とドレンパン６９の水受部７１の継ぎ目となる第１の重ね合せ部７２ａでは、水の流れる方向に対して上流側となる点検蓋７０がドレンパン６９の上面に重なる。これにより、ドレンパン６９と点検蓋７０の継ぎ目からの水垂れが防止される。
【０１３４】
給気フィルタ６８の清掃や交換は、点検蓋７０を開けて行う。点検蓋７０を開放するには、まず、固定ネジ７３を緩め、固定ネジ７３をドレンパン６９のネジ穴６９ｂから外す。ここで、固定ネジ７３は点検蓋７０に対して回転自在でかつ抜取不能な構成であるので、固定ネジ７３を緩めても、固定ネジ７３は点検蓋７０に残る。これにより、固定ネジ７３の紛失等を防ぐことが出来る。
【０１３５】
固定ネジ７３を緩めると、点検蓋７０は軸７０ａを支点とした回転動作で開く。点検蓋７０を開けると、図１２（ｂ）に示すようにフィルタ取付部６７が露出する。これにより、給気フィルタ６８の着脱が可能となる。
【０１３６】
なお、点検蓋７０は、軸７０ａを支点とした回転動作で開く。これにより、点検蓋７０は開放した状態でもドレンパン６９と一体であるので、フィルタ着脱時等に、人手で点検蓋７０を支持する必要が無い。
【０１３７】
以上説明したように、換気装置１ｂは下部にドレンパン６９を備えることで、内部結露による水分を、屋外に排出することができる。また、ドレンパン６９に開閉可能な点検蓋７０を備えることで、給気フィルタ６８容易に着脱できる。
【０１３８】
図１３は換気装置１ｂの変形例を示す斜視図である。図１３に示す換気装置１ｂ’は、ケース本体６１の第１の側板６１ａに、給気吹出口６６ａに代えて、チャンバーボックス７４を備える。チャンバーボックス７４は、複数の給気吹出口６６ａを備え、１つの換気装置１ｂ’に図示しない複数本のダクトを直接接続可能な構成となっている。なお、他の構成は図１１および図１２で説明した構成と同じであるので、ここでは説明を省略する。
【０１３９】
また、図１１等に示す換気装置１ｂは、排気装置としても利用できる構成である。すなわち、換気装置１ｂは、外気吸込口６６ｂから給気吹出口６６ａへの空気の流れを作り出すので、外気吸込口６６ｂを室内吸込口とし、給気吹出口６６ａを排気吹出口とすれば、排気装置として機能する。
【０１４０】
このような排気装置でも、ドレンパン６９を備えることで、浴室等からの湿度の高い空気を吸い込み、排出する際に内部結露による水分を屋外等へ排水できると共に、ドレンパン６９に開閉可能な点検蓋７０を備えることで、フィルタ等の着脱が可能な構成となる。
【０１４１】
また、建物内に本排気装置と前述の換気装置１ｂ，１ｂ’を設置して、換気装置１ｂ，１ｂ’より外気を室内に給気して、排気装置より給気した空気を屋外へ排出するようにして常時排気を行うような換気システムとすることも可能である。
【産業上の利用可能性】
【０１４２】
本発明は、寒冷地で使用される換気装置に適用される。
【図面の簡単な説明】
【０１４３】
【図１】第１の実施の形態の換気装置１ａの構成の一例を示す側断面図である。
【図２】第１の実施の形態の換気装置１ａの構成の一例を示す斜視図である。
【図３】第１の実施の形態の換気装置１ａの構成の一例を示す斜視図である。
【図４】熱交換ユニット４の構成の一例を示す分解斜視図である。
【図５】熱交換素子１４の概略構成を示す斜視図である。
【図６】底蓋３４の構成の一例を示す斜視図である。
【図７】ドレンパン３６の構成の一例を示す斜視図である。
【図８】固定ネジ４２の構成の一例を示す要部断面図である。
【図９】換気装置１ａを備えた建物５１の構成の一例を示し、図９（ａ）は建物５１の概要側面図、図９（ｂ）は建物５１の概要平面図である。
【図１０】換気装置１ａを備えた建物５１の構成の一例を示し、図１０（ａ）は建物５１の概要側面図、図１０（ｂ）は建物５１の概要平面図である。
【図１１】第２の実施の形態の換気装置１ｂの構成の一例を示す側断面図である。
【図１２】第２の実施の形態の換気装置１ｂの構成の一例を示す斜視図である。
【図１３】換気装置１ｂの変形例を示す斜視図である。
【符号の説明】
【０１４４】
１ａ，１ｂ・・・換気装置、２・・・ケース本体、３・・・ファンユニット、４・・・熱交換ユニット、６・・・給気ファン、７・・・排気ファン、１４・・・熱交換素子、３２・・・給気フィルタ、３３・・・排気フィルタ、３４ａ・・・フィルタ交換口、３４ｂ・・・フィルタ交換口、３５ａ・・・給気風路、３５ｂ・・・排気風路、３６・・・ドレンパン、３７・・・開口部、３８・・・点検蓋、３８ａ・・・軸、３８ｂ・・・水垂れ防止突起、３８ｃ・・・溝部、３９・・・第１の水受部、３９ａ・・・排水口、３９ｂ・・・水垂れ防止突起、３９ｃ・・・溝部、４０・・・第２の水受部、４０ａ・・・水垂れ防止突起、４０ｂ・・・溝部、４１ａ・・・第１の重ね合せ部、４１ｂ・・・第２の重ね合せ部、４２・・・固定ネジ、５１・・・建物、５５・・・屋外吸気フード、５５ａ・・・外気導入ダクト、５６・・・屋外排気フード、５６ａ・・・排気ダクト、５７・・・給気グリル、５７ａ・・・給気ダクト、５８・・・吸込グリル、５８ａ・・・換気ダクト、５９・・・排水ホース、
【図１】
2006064316.tif 000003
【図２】
2006064316.tif 000004
【図３】
2006064316.tif 000005
【図４】
2006064316.tif 000006
【図５】
2006064316.tif 000007
【図６】
2006064316.tif 000008
【図７】
2006064316.tif 000009
【図８】
2006064316.tif 000010
【図９】
2006064316.tif 000011
【図１０】
2006064316.tif 000012
【図１１】
2006064316.tif 000013
【図１２】
2006064316.tif 000014
【図１３】
2006064316.tif 000015